(57)【要約】【課題】  簡易な構造で、ペットシートの交換作業性に優れ、薄型でコンパクトなペットトイレを提供する。【解決手段】  上部部材３ａと下部部材３ｂとの一方の側方には、開口部が形成される。すなわち、ペットトイレ１の一方の長辺側において、上部部材３ａと下部部材３ｂとの間は塞がれずに、側方に開口する。下部部材３ｂの凹部には、凹部に沿ってスライドレール５が配置される。すなわち、スライドレール５は、ペットトイレ１の短辺に平行に一対配置される。スライドレール５の上部には、トレイ９が接合される。したがって、トレイ９は、下部部材３ｂに対して、スライドレール５の配置方向に対してスライド移動可能である。【選択図】図１
0003196369.tif 000002
【実用新案登録請求の範囲】
【請求項１】
ペット用のトイレであって、
本体部と、
前記本体部に設けられるスライドレールと、
前記スライドレールによって、前記本体部に対してスライド移動可能な、ペットシートを載置するためのトレイと、
前記トレイ上に配置され、前記ペットシートを保護するための、複数の孔を有する保護部材と、
を具備し、
前記本体部に収容された前記トレイを、前記本体部の側方から引き出すことが可能であることを特徴とするペットトイレ。
【請求項２】
前記スライドレールは、プッシュオープンタイプであり、
前記トレイが前記本体部に収容された状態を保持可能であるとともに、側方から前記トレイを前記本体部に押し込むことで、前記トレイが前記本体部から引き出し可能となることを特徴とする請求項１記載のペットトイレ。
【請求項３】
前記トレイの上面にはスペーサが設けられ、前記保護部材が前記スペーサによって、前記トレイから隙間を開けて配置されることを特徴とする請求項１または請求項２に記載のペットトイレ。
【考案の詳細な説明】
【技術分野】
【０００１】
本考案は、ペット用のトイレに関するものである。
【背景技術】
【０００２】
従来より、特に屋内で飼育される犬や猫などのペット用のトイレが利用されている。このようなペットトイレには、尿などを吸収するペットシートが用いられる。
【０００３】
通常、ペットシートへのいたずら防止などの目的で、ペットシート上には、格子状や穴の開いた保護部材が配置される。また、保護部材がペット等によって取り外されたりすることがないように、ペットトイレの外周部には、保護部材を固定する枠体が設けられる。
【０００４】
ペットシートを交換するためには、この枠体を取り外して、保護部材を取り出し、さらに、その下方の使用済みペットシートを除去して、新たなペットシートを配置した後、その逆の手順で、保護部材および枠体を取り付ける必要がある。
【０００５】
このようなペットトイレとしては、例えば、不透水性底板を有する本体と、この本体に装着されるカバー枠と、本体の上面に配置した縦横の溝と、この溝内に上方から挿入される線材を有する押え格子とを備え、この押え格子の線材が、本体の底板上に置かれた汚物受けシートを溝内に押込んで固定するものが提案されている（特許文献１）。
【先行技術文献】
【特許文献】
【０００６】
【特許文献１】特開２００６−２８８３２８号公報
【考案の開示】
【考案が解決しようとする課題】
【０００７】
しかし、従来のペットトイレは、ペットシートの交換の度に、枠体を取り外す必要があり、作業が手間であった。また、枠体を容易に着脱可能にするためには、枠体とベース部材と間に、例えばヒンジ構造などの簡易な脱着機構を設ける必要があるため、ペットトイレ全体のサイズが大きくなるとともに、厚みが厚くなる。ペットトイレの厚みが厚くなると、子犬や足腰の弱った老犬にとって利用しにくいものとなる。
【０００８】
本考案は、このような問題に鑑みてなされたもので、簡易な構造で、ペットシートの交換作業性に優れ、薄型でコンパクトなペットトイレを提供することを目的とする。
【課題を解決するための手段】
【０００９】
前述した目的を達成するため、本考案は、ペット用のトイレであって、本体部と、前記本体部に設けられるスライドレールと、前記スライドレールによって、前記本体部に対してスライド移動可能な、ペットシートを載置するためのトレイと、前記トレイ上に配置され、前記ペットシートを保護するための、複数の孔を有する保護部材と、を具備し、前記本体部に収容された前記トレイを、前記本体部の側方から引き出すことが可能であることを特徴とするペットトイレである。
【００１０】
前記スライドレールは、プッシュオープンタイプであり、前記トレイが前記本体部に収容された状態を保持可能であるとともに、側方から前記トレイを前記本体部に押し込むことで、前記トレイが前記本体部から引き出し可能であることが望ましい。
【００１１】
前記トレイの上面にはスペーサが設けられ、前記保護部材が前記スペーサによって、前記トレイから隙間を開けて配置されることが望ましい。
【００１２】
本考案によれば、本体部にスライドレールが設けられることで、保護部材やペットシートが載置されるトレイを、保護部材の側方から容易に引き出すことができる。このため、保護部材を取り出すために、その都度、本体部の枠部材等を取り外す必要がない。このため、ペットシートの交換作業性が良好である。
【００１３】
また、保護部材は、ペットトイレの上方から取り外すことができない。このため、ペットのいたずらなどによって、保護部材が取り外されるようなことがない。
【００１４】
また、枠部材等を着脱可能にする必要がないため、ヒンジ等の固定機構や、係止爪などの構造が不要である。このため、全体のサイズをコンパクトにすることができるとともに、厚みを薄くすることができる。このため、設置場所の自由度が高く、子犬や老犬も利用しやすいペットトイレとすることができる。
【００１５】
特に、スライドレールがプッシュオープン式であれば、トレイを軽く押し込むだけで、トレイを引き出すことができる。このため、極めて容易に、トレイを引き出すことが可能である。
【００１６】
また、トレイの上面にスペーサを設け、保護部材とトレイの間に隙間を形成することで、トレイとスライドレールとの固定のための固定部材等によってペットシート等の設置面に凹凸が生じることを防止することができる。すなわち、スペーサによって、ペットシート等の設置面の高さを一定に保つことができる。
【考案の効果】
【００１７】
本考案によれば、簡易な構造で、ペットシートの交換作業性に優れ、薄型でコンパクトなペットトイレを提供することができる。
【図面の簡単な説明】
【００１８】
【図１】ペットトイレ１を示す斜視図。
【図２】ペットトイレ１の断面図であり、図１のＡ−Ａ線断面図。
【図３】トレイ９を引き出した状態を示す斜視図。
【図４】保護部材７を取り外した状態を示す斜視図。
【図５】ペットシート１１を取り外す工程を示す斜視図。
【考案を実施するための形態】
【００１９】
以下、本考案の実施の形態を詳細に説明する。図１は、本考案の実施の形態にかかるペットトイレ１を示す斜視図であり、図２は、図１のＡ−Ａ線断面図である。ペットトイレ１は、主に、本体部３、スライドレール５、保護部材７、トレイ９等から構成される。
【００２０】
図２に示すように、本体部３は、例えばアルミニウムなどの金属製の板状の部材であり、上部部材３ａと下部部材３ｂとで構成される。下部部材３ｂの両側部には、後述するスライドレール５が収容される一対の上面側凹部が形成され、当該凹部が、床等に設置する際に脚部として機能する。それぞれの凹部は、ペットトイレ１の幅方向に連続して形成される。例えば、図示した例では、各凹部はペットトイレ１の短辺に平行な幅方向に沿って形成される。
【００２１】
上部部材３ａは、短辺側の両側が下方に折り曲げられて、下部部材３ｂと接合される。また、上部部材３ａは、枠状の部材であり、中央部が開口して下部部材３ｂの外周部を覆うように固定される。なお、上部部材３ａの開口寸法は、概ね、使用するペットシート１１のサイズと同様である。
【００２２】
上部部材３ａと下部部材３ｂとの一方の側方には、開口部が形成される。すなわち、ペットトイレ１の一方の長辺側において、上部部材３ａと下部部材３ｂとの間は塞がれずに、側方に開口する。なお、図示した例では、ペットトイレ１の長辺側に開口部が形成されるが、短辺側に開口部を形成してもよい。この場合、前述した各凹部は、長辺に平行な幅方向に沿って形成される。また、開口部と対向する側の上部部材３ａと下部部材３ｂとの間は、上部部材３ａが折曲げられて塞がれる。
【００２３】
下部部材３ｂの凹部には、凹部に沿ってスライドレール５が配置される。すなわち、スライドレール５は、ペットトイレ１の短辺に平行に一対配置される。スライドレール５の上部には、トレイ９が接合される。したがって、トレイ９は、下部部材３ｂに対して、スライドレール５の配置方向に対してスライド移動可能である。
【００２４】
トレイ９の上面には、ペットシート１１および保護部材７が載置される。保護部材７は、トレイ９上に配置されるペットシート１１を上方から保護するものである。保護部材７は、例えばアルミニウムなどの金属製のパンチングメタルを用いることができるが、メッシュや格子部材など、材質や形状を問わず、複数の孔が形成されていれば、いずれのものであっても用いることができる。保護部材７によってペットシート１１の上方を覆うことで、ペットがペットシート１１にいたずらすることや、ペットシート１１上を直接歩行することなどを防止することができる。
【００２５】
なお、保護部材７の大きさは、上部部材３ａに形成される開口部のサイズよりも広い。このようにすることで、保護部材７が上部部材３ａの上方から取り出されることを防止することができる。
【００２６】
トレイ９の上面には、スライドレール５を固定するための固定部材１５が突出する。固定部材１５は、例えば、ねじ等の部材である。このため、トレイ９上にペットシート１１を配置すると、ペットシート１１が固定部材１５の部位で凸凹になる恐れがある。
【００２７】
そこで、本考案では、トレイ９の上面の両側部近傍にスペーサ１３を設ける。スペーサ１３の厚みは、トレイ９の上面から固定部材１５の上面までの高さと略一致する。このため、ペットシート１１は、固定部材１５およびスペーサ１３によって平坦に支持され、上方から保護部材７で押さえられる。なお、スペーサ１３は、樹脂、金属その他いずれの材質でも良い。
【００２８】
また、同様に、下部部材３ｂの下面には、スライドレール５を固定するための固定部材１５が突出する。このため、ペットトイレ１を床面に設置した際に、がたつきが生じる恐れがある。
【００２９】
そこで、本考案では、下部部材３ｂの脚部の下面に滑り止め１７を設ける。滑り止め１７の厚みは、下部部材３ｂの下面から固定部材１５の下面までの高さよりも厚い。このため、ペットトイレ１を床面に設置した際に、固定部材１５が床と干渉することがない。なお、滑り止め１７は例えば軟質塩化ビニルやゴムなどの軟質樹脂であることが望ましい。
【００３０】
次に、本考案にかかるペットトイレ１の使用方法について説明する。図３は、トレイ９を引き出す工程を示す斜視図である。前述した様に、保護部材７のサイズは、上部部材３ａの開口寸法よりも大きいため、保護部材７を上方から取り外すことはできないが、本考案では、保護部材７をペットトイレ１の側方からトレイ９とともにスライド挿抜可能である。
【００３１】
トレイ９を本体部の側方から引き出すことで（図中矢印Ｂ）、本体部３から保護部材７を取り出すことができる。ここで、トレイ９を容易に引き出すためには、スライドレール５として、プッシュオープンタイプのものを用いることが望ましい。このようにすることで、ペットのいたずらなどによって、通常時にトレイ９が引き出されることを防止するとともに、トレイ９の引き出しが容易となる。
【００３２】
ここで、トレイ９のサイズは、保護部材７およびペットシート１１に対応したサイズである。このため、トレイ９を引き出した際に、トレイ９の一部が本体部３から露出していないと、保護部材７やペットシート１１の取り出しの妨げとなる。このため、トレイ９を引き出した際に、トレイ９の全体が本体部３から露出するまで引き出されることが望ましい。このように、完全にトレイ９を本体部３から引き出すためには、スライドレール５は、３段以上のものを用いることが望ましい。
【００３３】
トレイ９を完全に引き出した後、保護部材７を撤去する。図４は、保護部材７を撤去した状態を示す斜視図である。この状態では、保護部材７の下方に配置されていたペットシート１１が露出する。
【００３４】
次に、ペットシート１１を交換する。図５は、ペットシート１１を取り出す工程を示す斜視図である。トレイ９の上面は完全に露出するため、ペットシート１１は、容易にトレイ９の上方から取り出すことができる。
【００３５】
使用済みのペットシート１１を取り出し後、逆の手順で、新たなペットシート１１をトレイ９上に配置し、保護部材７をトレイ９（ペットシート１１）上に配置し、トレイ９を本体部３に押し込む。以上により、ペットシート１１の交換が終了する。
【００３６】
以上、本実施の形態によれば、ペットシート１１を交換する際に、枠部材等を取り外す必要がない。このため、作業性が良好である。また、本体部３には、ヒンジや係合機構などの、上部部材３ａを取り外すための着脱機構が不要となることから、コンパクトで薄いペットトイレを得ることができる。
【００３７】
また、トレイ９の引き出しには、スライドレール５を用いるため、作業が容易である。特に、プッシュオープンタイプのスライドレールを用いることで、意図せずに、トレイ９が本体部３から引き出されることを防止することができるとともに、トレイ９を軽く押し込むだけで、トレイ９を容易に引き出すことができる。
【００３８】
また、トレイ９上にスペーサ１３を設けることで、ペットシート１１をトレイ９上に略平坦に設置することができる。
【００３９】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００４０】
１………ペットトイレ
３………本体部
３ａ………上部部材
３ｂ………下部部材
５………スライドレール
７………保護部材
９………トレイ
１１………ペットシート
１３………スペーサ
１５………固定部材
１７………滑り止め
【図１】
0003196369.tif 000003
【図２】
0003196369.tif 000004
【図３】
0003196369.tif 000005
【図４】
0003196369.tif 000006
【図５】
0003196369.tif 000007